(57)【要約】【課題】  視覚障害者や上肢障害者である施術者までも、安全に足で施術することができ、かつ頭や肩、足など施術の部位に応じ、施術の力を容易に制御することができるマッサージ用ベッドを提供しようとする。【解決手段】  マッサージ用ベッド３は、２つの相対の長辺及び２つの相対の短辺を有する略長方形の支持台４と、支持台４の２つの相対の長辺のそれぞれに直立に設けられており、かついずれも、それと対応する長辺と略平行している手摺部６１と手摺部６１の両端縁から下へ延長して対応の長辺の両端近くと連接している２つの直立部６２とからなっている２つの略Ｕ字形の補助フレーム６と、支持台４の２つの相対の短辺のうち少なくとも一辺の上方で、かつ、前記２つの補助フレーム６の２つの対応する直立部６２の間に設けられている第１の着座手段７，８とからなっている。【選択図】図２
0003105561.tif 000002
【実用新案登録請求の範囲】
【請求項１】
２つの相対の長辺及び２つの相対の短辺を有する略長方形の支持台と、
前記支持台の前記２つの相対の長辺のそれぞれに直立に設けられており、かついずれも、それと対応する長辺と略平行している手摺部と前記手摺部の両端縁から下へ延長して前記対応の長辺の両端近くと連接している２つの直立部とからなっている２つの略Ｕ字形の補助フレームと、
前記支持台の２つの相対の短辺のうち少なくとも一辺の上方で、かつ、前記２つの補助フレームの２つの対応する直立部の間に設けられている第１の着座手段とからなっていることを特徴とするマッサージ用ベッド。
【請求項２】
前記支持台は、中空四角形の枠体と、それぞれ前記枠体の四隅から下へ延伸してなった４つの棒状の脚部とからなっており、
前記支持台の前記枠体上に、その長手方向上の一側に通孔が形成してある略長方形のマットレスが載置されていることを特徴とする請求項１に記載のマッサージ用ベッド。
【請求項３】
前記支持台の２つの短辺の上方に、それぞれ前記第１の着座手段が設けられ、また、前記通孔寄りの第１の着座手段の設置位置が他の第１の着座手段の設置位置より高いことを特徴とする請求項２に記載のマッサージ用ベッド。
【請求項４】
前記支持台の前記４つの脚部は、それぞれ開口が上に向いている管体であり、
前記２つの補助フレームの各直立部は、それぞれそれと対応する脚部の管体の開口に上下伸縮可能に内嵌固定されていることを特徴とする請求項２または３に記載のマッサージ用ベッド。
【請求項５】
前記第１の着座手段は、着座部と、前記着座部の下面に固定されており、かつその一端部が前記２つの直立部の一つに上下回動可能に枢支され、他端部が前記他の直立部に脱着可能に引っ掛けられている支持ロッドとからなっていることを特徴とする請求項１〜４のいずれかの一項に記載のマッサージ用ベッド。
【請求項６】
前記各補助フレームの前記２つの直立部の間の前記手摺部の下方にそれぞれ補助ロッドが前記支持台の長辺に沿って設けられており、
前記２つの補助ロッドの間に、第２の着座手段が前記補助ロッドの長手方向に沿って移動自在に設けられていることを特徴とする請求項１〜５のいずれかの一項に記載のマッサージ用ベッド。
【考案の詳細な説明】
【技術分野】
【０００１】
本考案は、マッサージ用ベッドに関し、特に、足を使って、メディディアンフーレというマッサージを施術するに好適なマッサージ用ベッドに関する。
【背景技術】
【０００２】
メディディアンフーレとは、手を使わず足で全身の経絡をマッサージして筋肉内の疲労物質（しこり）を取り除いて血液やリンパの流れをよくするものを指す。このように足でマッサージを施術するのは、手より３〜４倍の力をかけることができるので、その効果が非常に良い。
【０００３】
従来のメディディアンフーレに使われているマッサージ用ベッド１は、図１に示すように、略長方形の支持台１１と前記支持台１１上に載置されているマットレス１２とからなっている。前記支持台１１は、中空四角形の枠体１１１と、それぞれ前記枠体１１１の四隅から下へ延伸してなった４つの棒状の脚部１１２とからなっている。
【０００４】
前記マットレス１２は、その大きさが前記支持台１１と大体同じであり、かつその長手方向上の一側のほぼ真ん中に、顔、特に鼻を出す通孔１２１が形成してある。それにより、被施術者が、前記マットレス１２上にうつ伏せた状態でマッサージをされようとすれば、顔、特に鼻を押されないように前記通孔１２１から出すことができる。
【０００５】
しかしながら、このようなマッサージ用ベッド１にはなんらの安全措置も設けられていない上、施術の過程において治療師としての施術者がベッド上乃至は被施術者の背中上に長時間高く立たなければならないので、施術者が重心が傾いて不意に落ちて傷ついてしまうことが少なくない。特に、視覚障害者や上肢障害者である施術者にとっては、体に障害があるので、施術の過程において他人の手伝いを頼まなければ、傷つく可能性がもっと高い。
【０００６】
そして、施術の過程においては、頭や肩の特定の部位にかけられる力が他の部位、例えば背中や足より小さいことが好ましい。しかしながら、このような従来のマッサージ用ベッドでは、施術者はずっと立った状態で施術をしなければならないので、力の強さを適切に制御することが難しい。
【考案の開示】
【考案が解決しようとする課題】
【０００７】
上記に鑑みて、本考案の第１の目的は、視覚障害者や上肢障害者である施術者までも、安全に足で施術することができるマッサージ用ベッドを提供しようとすることにある。
【０００８】
そして、本考案の第２の目的は、頭や肩、足など施術の部位に応じ、施術の力を容易に制御することができるマッサージ用ベッドを提供しようとすることにある。
【課題を解決するための手段】
【０００９】
前記目的を達成するために、考案者は、２つの相対の長辺及び２つの相対の短辺を有する略長方形の支持台と、前記支持台の前記２つの相対の長辺のそれぞれに直立に設けられており、かついずれも、それと対応する長辺と略平行している手摺部と前記手摺部の両端縁から下へ延長して前記対応の長辺の両端近くと連接している２つの直立部とからなっている２つの略Ｕ字形の補助フレームと、前記支持台の２つの相対の短辺のうち少なくとも一辺の上方で、かつ、前記２つの補助フレームの２つの対応する直立部の間に設けられている第１の着座手段とからなっていることを特徴とするマッサージ用ベッドを提供する。
【考案の効果】
【００１０】
この構成によるマッサージ用ベッドは、前記支持台の２つの相対の長辺にそれぞれ略Ｕ字形の補助フレームが設けられているので、施術者は施術の過程において手で前記２つの補助フレームを握ってベッド上に立つ姿で安全に施術することができる。視覚障害者や上肢障害者である施術者であっても、手や残りの上肢を前記２つの補助フレーム上にかけることができるので、施術の過程において他人の手伝いを必要としなく、独自に施術を行うことができる。
【００１１】
そして、前記支持台の２つの相対の短辺のうち少なくとも一辺の上方には、第１の着座手段が設けられているため、施術者は被施術者の頭及び肩や足を施術する時、座った姿で気軽に施術することができるので、力の強さを容易に制御することができる。
【考案を実施するための最良の形態】
【００１２】
以下、本考案のマッサージ用ベッドの好ましい実施形態を詳しく説明する。なお、以下の説明においては、そのサイズに拘わらず、略同一の機能及び構成を有する構成要素については、同一符号を付し、重複説明は必要な場合にのみ行う。
【００１３】
（実施形態１）
図２は、本考案の第１の実施形態のマッサージ用ベッドを示す斜視図である。図示のように、このマッサージ用ベッド３は、主として２つの相対の長辺及び２つの相対の短辺を有する略長方形の支持台４と、前記支持台４上に載置されている略長方形のマットレス５と、前記支持台４の前記２つの相対の長辺のそれぞれに直立に設けられている２つの略Ｕ字形の補助フレーム６と、前記支持台４の前記２つの相対の短辺のそれぞれの上に設けられている２つの第１の着座手段７，８とからなっている。
【００１４】
もっと詳しく説明すると、前記支持台４は、中空四角形の枠体４１と、それぞれ前記枠体４１の四隅から下へ延伸してなった４つの棒状の脚部４２とからなっている。また、前記２つの短辺それぞれにある相対の２つの脚部４２，４２の間には、複数の足踏みロッド４３が設けられている。
【００１５】
前記マットレス５は、前記支持台４の前記枠体４１上に載置されており、かつその長手方向上の一側のほぼ真ん中に、顔を出すための通孔５１が形成してある。
【００１６】
前記２つの補助フレーム６は、いずれも、それと対応する長辺と略平行している手摺部６１と前記手摺部６１の両端縁から下へ延長して前記対応の長辺の両端近くと連接している２つの直立部６２とからなっている。本実施形態において、前記支持台４の４つの脚部４２はそれぞれ開口が上に向いている管体であり、前記２つの補助フレーム６の前記各直立部６２は、それぞれそれと対応する脚部４２の管体の開口に上下伸縮可能に内嵌固定されている。
【００１７】
また、前記各補助フレーム６の前記２つの直立部６２の間の前記手摺部６１の下方には、それぞれ補助ロッド６３が前記支持台４の長辺に沿って設けられている。
【００１８】
詳細に説明すると、図３に示すように、前記２つの補助フレーム６の各直立部６２の下端部にそれぞれ、直立部６２の延伸方向に沿って所定距離を開けた複数の第１の貫通孔６２１が形成してあり、前記支持台４の４つの脚部４２上にそれぞれ第２の貫通孔４２１が開けてある。また、前記第２の貫通孔４２１の一端の開口の周りに、雌ねじ付きナット４２２が固定されている。
【００１９】
それにより、前記直立部６２を前記脚部４２内に摺動させて前記補助フレーム６の高低を調整しながら、前記複数の第１の貫通孔６２１中のいずれかの貫通孔６２１と前記第２の貫通孔４２１とを合致させた後、ねじ棒４４を前記第２の貫通孔４２１及び第１の貫通孔６２１を順番に挿入しながら、前記雌ねじ付きナット４２２とねじ合わせることによって、前記補助フレーム６の各直立部６２を対応の脚部４２に脱着可能に内嵌固定することができる。
【００２０】
そして、前記２つの第１の着座手段７，８は、それぞれ前記支持台４の２つの短辺の、前記２つの補助フレーム６の２つの対応する直立部６２の間に設けられている。本実施形態において、前記通孔５１寄りの第１の着座手段７の設置位置が他の第１の着座手段８の設置位置より高いように構成されている。
【００２１】
もっと詳しく説明すると、前記２つの第１の着座手段７，８は、図４〜６に示すように、いずれも、着座部７１，８１と、前記着座部７１，８１の下面に固定されていて前記対応の２つの直立部６２，６２と連接する支持ロッド７２，８２とからなっている。前記支持ロッド７２，８２と前記２つの直立部６２，６２との間の連接関係は固定式でも良く、可動式でも良い。
【００２２】
本実施形態において、前記通孔５１寄りの第１の着座手段７は固定式であり、すなわち、図４に示すように、前記支持ロッド７２の両端部がそれぞれリベット７３により前記対応の２つの直立部６２，６２に固定されているが、それに限らず、溶接により固定されてもよい。前記通孔５１から遠い他の第１の着座手段８は可動式であって、すなわち図５及び図６に示すように、前記支持ロッド８２の一端部８２１が前記２つの直立部６２，６２の一つに上下回動可能に枢支され、他端部８２２が鈎状になって、前記他の直立部６２に設けられたピン６４に脱着可能に引っ掛かっている。
【００２３】
それにより、施術者が施術をしようとする場合、前記他の第１の着座手段８の方から、前記他の第１の着座手段８の支持ロッド８２の他端部８２２の引掛けを一時解消し、そして前記複数の足踏みロッド４３により前記マットレス５上に登ってから、再び引っ掛けることができる。
【００２４】
施術者が前記マットレス５上に登った後、図７に示すように、その身長に応じて手９１，９１で前記手摺部６１または補助ロッド６３を握りながら、うつ伏せた被施術者の背中に立ったまま足踏みをし、または図８に示すように前記第１の着座手段７，８の前記着座部７１，８１に座って足裏で被施術者の頭や肩、足を揉むようにマッサージをすることができる。後者のような、座る姿勢で施術する時、力の強さを容易に制御することができる上、前記通孔５１寄りの第１の着座手段７の設置位置が前記他の第１の着座手段８の設置位置より高いので、被施術者の頭や肩にかける力が自ずと足にかける力より弱くなり、被施術者を傷付かせることを防止することができる。
【００２５】
そして、図９に示すように、前記２つの補助フレーム６，６のいずれかの、前記通孔５１から遠い直立部６２には、リング９２が設けられている。それにより、施術者は被施術者の片足が前記リング９２内に引っ掛けられた状態で被施術者の腰部や臀部を押して牽引し、いわゆる牽引マッサージを行うことができる。
【００２６】
（実施形態２）
図１０は、本考案の第２の実施形態のマッサージ用ベッドを示す斜視図である。この実施形態の前記第１の実施形態と異なる点は、前記２つの補助フレーム６の手摺部６１の両端部にそれぞれやや突出した止め部６１１が形成されている。それにより、視覚障害者である施術者であっても、手で前記止め部６１１から手摺部６１の果てを容易に感じて、施術の過程において不意にベッド上から落ちてしまうことを避けることができる。
【００２７】
（実施形態３）
図１１は、本考案の第３の実施形態のマッサージ用ベッドを示す斜視図である。この実施形態の前記第１の実施形態と異なる点は、前記２つの補助ロッド６３，６３の間に第２の着座手段９３が前記補助ロッド６３の長手方向に沿って移動自在に設けられ、かつ前記２つの補助フレーム６の手摺部６１の中間部が上へやや隆起している。それにより、上肢障害者である施術者であっても、前記第２の着座手段９３に座って残りの上肢を前記手摺部６１に掛けながら足でベッド面を蹴って移動し、施術することができる。
【００２８】
（実施形態４）
図１２は、本考案の第４の実施形態のマッサージ用ベッドを示す斜視図である。この実施形態の前記第１の実施形態と異なる点は、前記２つの補助フレーム６の手摺部６１の中間部が下へやや窪んでいる。それにより、上肢障害者である施術者であっても、残りの上肢で前記手摺部６１に掛けて容易に施術することができる。
【産業上の利用可能性】
【００２９】
本考案のマッサージ用ベッドによれば、視覚障害者や上肢障害者までもの施術者が、立ったままで安全かつ独自に施術することができる上、座ってもメディディアンフーレというマッサージをすることができる。それに、被施術者の頭や肩、足に施術する時、力の強さを容易に制御することができる。
【００３０】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００３１】
【図１】従来のマッサージ用ベッドを示す斜視図
【図２】本考案の第１の実施形態のマッサージ用ベッドを示す斜視図
【図３】前記第１の実施形態における支持台の脚部と補助フレームの直立部との間の結合関係を説明する図
【図４】前記第１の実施形態における第１の着座手段と直立部との結合関係を示す側面図
【図５】前記第１の実施形態における他の第１の着座手段と直立部との結合関係を示す側面図
【図６】前記他の第１の着座手段の引掛けを解消した時を説明する図
【図７】前記第１の実施形態の使用状態例を示す図
【図８】前記第１の実施形態の使用状態例を示す図
【図９】前記第１の実施形態の使用状態例を示す図
【図１０】本考案の第２の実施形態のマッサージ用ベッドを示す斜視図
【図１１】本考案の第３の実施形態のマッサージ用ベッドを示す斜視図
【図１２】本考案の第４の実施形態のマッサージ用ベッドを示す斜視図
【符号の説明】
【００３２】
３     マッサージ用ベッド
４     支持台
４１   枠体
４２   脚部
４２１ 第２の貫通孔
４２２ 雌ねじ付きナット
４３   足踏みロッド
４４   ねじ棒
５     マットレス
５１   通孔
６     補助フレーム
６１   手摺部
６１１ 止め部
６２   直立部
６２１ 第１の貫通孔
６３   補助ロッド
６４   ピン
７，８ 第１の着座手段
７１，８１  着座部
７２，８２  支持ロッド
７３        リベット
８２１ 一端部
８２２ 他端部
９１   手
９２   リング
９３   第２の着座手段
【図１】
0003105561.tif 000003
【図２】
0003105561.tif 000004
【図３】
0003105561.tif 000005
【図４】
0003105561.tif 000006
【図５】
0003105561.tif 000007
【図６】
0003105561.tif 000008
【図７】
0003105561.tif 000009
【図８】
0003105561.tif 000010
【図９】
0003105561.tif 000011
【図１０】
0003105561.tif 000012
【図１１】
0003105561.tif 000013
【図１２】
0003105561.tif 000014
【手続補正書】
【提出日】平成16年6月2日(2004.6.2)
【手続補正１】
【補正対象書類名】図面
【補正対象項目名】図１
【補正方法】変更
【補正の内容】
【図１】
0003105561.tif 000015
【手続補正２】
【補正対象書類名】図面
【補正対象項目名】図８
【補正方法】変更
【補正の内容】
【図８】
0003105561.tif 000016
【手続補正３】
【補正対象書類名】図面
【補正対象項目名】図９
【補正方法】変更
【補正の内容】
【図９】
0003105561.tif 000017